(57)【要約】　　　（修正有）【課題】スーツなどの衣類用のみならず、それ以外の他目的バッグとして使用できるので、長期旅行時には便利であるし、また見栄えも充分優れており、さらにまた軽量であるため持ち運びが簡単であり、スーツの収納も簡単であり、さらにスーツの皺の発生も少ないバッグアンドカバーを提供すること。【解決手段】バッグの上部および両側に開閉自在な係合部材を有し、かつバッグの内部の上部の両側に結合部材を有するバッグ（Ａ）と、中央に衣類を出し入れするための開閉自在な係合部材を有し、かつ衣類を入れたカバーを折り曲げて前記バッグに収納するとき、折り曲げ部の両側に結合部材を、前記バッグの結合部材と係合するように設けたカバー（Ｂ）からなるバッグアンドカバー。【選択図】図１
2004131109.tif 000002
【特許請求の範囲】
【請求項１】
バッグの上部および両側に開閉自在な係合部材を有し、かつバッグの内部の上部の両側に結合部材を有するバッグ（Ａ）と、中央に衣類を出し入れするための開閉自在な係合部材を有し、かつ衣類を入れたカバーを折り曲げて前記バッグに収納するとき、折り曲げ部の両側に結合部材を、前記バッグの結合部材と係合するように設けたカバー（Ｂ）からなるバッグアンドカバー。
【請求項２】
カバー（Ｂ）が、中央の上部にハンガーの掛け部材を通す穴を有する請求項１記載のバッグアンドカバー。
【請求項３】
カバー（Ｂ）が、衣類を入れたカバーを２つ折りまたは３つ折りにしてバッグに収納された請求項１または２記載のバッグアンドカバー。
【発明の詳細な説明】
【０００１】
【発明の属する技術分野】
本発明は、スーツやコートなどのバッグアンドカバーに関する。
【０００２】
【従来の技術】
従来、衣類、とくにスーツ用バッグアンドカバーとしては、バッグに専用に取り付けられたハンガー付きの、チャック式バッグアンドカバーが使用されている。
【０００３】
【本発明が解決しようとする課題】
しかしながら、このようなバッグアンドカバーでは、スーツなどの衣類用にしか使用できないために、長期の旅行時には煩わしいし、また見栄えも充分優れたものとは言えない。
本発明は、これらの欠点を解消するためになされたものであり、スーツなどの衣類用のみならず、それ以外の他目的バッグとして使用できるので、長期旅行時には便利であるし、また見栄えも充分優れており、さらにまた軽量であるため持ち運びが簡単であり、スーツの収納も簡単であり、さらにスーツの皺の発生も少ないバッグアンドカバーを提供することを目的とする。
【０００４】
【課題を解決するための手段】
上記目的は、バッグの上部および両側に開閉自在な係合部材を有し、かつバッグの内部の上部の両側に結合部材を有するバッグ（Ａ）と、中央に衣類を出し入れするための開閉自在な係合部材を有し、かつ衣類を入れたカバーを折り曲げて前記バッグに収納するとき、折り曲げ部の両側に結合部材を、前記バッグの結合部材と係合するように設けたカバー（Ｂ）からなるバッグアンドカバーを提供することによって達成される。
【０００５】
【発明の実施の形態】
本発明のバッグアンドカバーは、バッグの内部の上部の両側に結合部材を有するバッグ（Ａ）と、カバーの折り曲げ部の両側に結合部材を、前記バッグの結合部材と係合するように設けたカバー（Ｂ）から構成されているので、結合部材同士が係合し、バッグとカバーが強固に固定され、収納されたスーツがずれたり、皺が発生したりすることが少なく、さらにまたスーツなどの収納も極めて容易である。
【０００６】
本発明において、バッグの結合部材をバッグの内部の上部の両側に設ける態様としては、両側に２個の結合部材を設ける態様、３個あるいはそれ以上の結合部材を設ける態様、さらには上部の横方向に横長の結合部材１個を設ける態様などが挙げられるが、２個の結合部材を設ける態様が好適である。
また、カバーの結合部材を折り曲げ部に設ける態様としては、カバーをバッグに収納するときの折り曲げ部の線上またはそれよりやや下部に設ける態様が挙げられ、また両側に設ける態様としては、前記のバッグの態様と同様、２個の結合部材を設ける態様、３個あるいはそれ以上の結合部材を設ける態様、さらには上部の横方向に横長の結合部材１個を設ける態様などが挙げられるが、２個の結合部材を設ける態様が好適である。
【０００７】
バッグ（Ａ）およびカバー（Ｂ）の結合部材としては、面ファスナー、ホック、ボタンなどが挙げられるが、面ファスナーが最良である。面ファスナーとしては、フック＆ループ型、フックとループ混在型・マッシュ型フック、押出成型フックなどが挙げられ、とくにマジックテープ（登録商標；クラレ社製）が好ましく用いられる。面ファスナーの大きさ、形状はとくに制限はなく、適宜選択される。
また、バッグ（Ａ）およびカバー（Ｂ）の係合部材としては、金属製あるいは樹脂製のチャックが好適に使用されるが、カバー（Ｂ）の係合部材としては、上記した面ファスナー、磁石、吸盤、、ホック、ボタンなどを使用することもできる。
【０００８】
次に本発明を図面により説明する。
図１は、本発明のバッグアンドカバーのバッグ（Ａ）の係合部材を全開した状態の、バッグの内部の正面図である。バッグ１１の上部および両側には係合部材３、４を有しており、係合部材を閉じることにより、係合部材３、４が係合し、中心線７の両端８，９が折り畳まれて、バッグとなる。バッグには取っ手１、２が付けられており、さらにバッグの内部には必要に応じポケットなどを設けることもできる。バッグの生地１０としては、織布、不織布など通常のバッグ生地が好適に使用されるが、さらに樹脂シート、フイルム、紙、メッシュ体も使用できる。バッグの内部の上部の両側には結合部材（面ファスナーなど）５、６を有しており、面ファスナーはバッグ生地に熱融着、または接着剤により接着される。
【０００９】
図２は、本発明のバックアンドカバーのカバー（Ｂ）をバッグへ収納する前のカバーの正面図である。カバー３３の中央には縦方向にコートなどの衣類を出し入れするための開閉自在な係合部材２６を有しており、上部にはハンガー掛け部材２９を出し入れするための穴２１を有しており、バッグから取り出したコートなどの衣類の入ったカバーをそのままホテルの押し入れなどに吊るしておくことができる。図２のカバーは、コートなどを３つ折りにして収納するカバーを示すものであり、上部の折り曲げ部３０および下部の折り曲げ部３１において折り畳まれる。カバー３３の裏面の、３つ折りの上部の折り曲げ部３０には結合部材（面ファスナーなど）２７、２８が設けられている。カバーは袋状となっており、カバーの周囲（カバーノの側部２２、２３、下部２４、上部２５，２５’）は閉じられているが、一部に開いた部分があっても差し支えない。カバー生地３２としては、前記したバッグの生地と同様のものが使用できる。
【００１０】
図３は、カバー（Ｂ）の下部を内折りにして、３つ折りに畳んだ状態のカバーの側面図であり、図４は、カバーの下部を外折りにして、３つ折りに畳んだ状態のカバーの側面図である。
図３または図４に示されるカバーを折り畳み、図１に示すバッグに入れ、カバーの結合部材（面ファスナーなど）２７、２８をバッグの結合部材５、６と係合することにより、カバー（Ｂ）はバッグ（Ａ）に強固に固定される。
【００１１】
図５は、本発明のバッグの他の態様を示す正面図であり、図１のバッグにさらに結合部材（面ファスナーなど）１２、１３を、中心線７に対して結合部材（面ファスナーなど）５、６の対称の位置に設けたものである。図６は、図５のバッグに入れるためのカバーの側面図であり、図４のカバーにさらに結合部材（面フアスナーなど）３４、３５をカバーの裏面に設けたものである。図６のカバーを図５のバッグに入れて、バッグの結合部材５、６をカバーの結合部材２７、２８に係合し、バッグの結合部材１２、１３をカバーの結合部材３４、３５に係合することにより、カバーをより強固にバッグに固定することができる。
【００１２】
図７は、カバーを２つ折りにしてバッグに入れる態様を示すカバーの側面図である。
このようにして得られた本発明のバッグアンドカバーは、コート、スーツなどの衣類のバックアンドカバーとしてとくに有用である
【００１３】
【発明の効果】
本発明のバッグアンドカバーは、スーツなどの衣類用のみならず、それ以外の他目的バッグとして使用できるので、長期旅行時には便利であるし、また見栄えも充分優れており、さらにまた軽量であるため持ち運びが簡単であり、スーツの収納も簡単であり、さらにスーツの皺の発生も少ない。
【図面の簡単な説明】
【図１】本発明のバッグアンドカバーのバッグの正面図である。
【図２】図１の裏面図である。
【図３】本発明のバッグアンドカバーのカバーを３つ折りした状態の側面図である。
【図４】本発明のバッグアンドカバーのカバーを３つ折りした他の態様を示す側面図である。
【図５】本発明のバッグアンドカバーのバッグの他の態様を示す正面図である。
【図６】本発明のバッグアンドカバーのカバーを３つ折りした他の態様を示す側面図である。
【図７】本発明のバッグアンドカバーのカバーを２つ折りした他の態様を示す側面図である。
【符号の説明】
１、２　　　　　　取っ手
３、４　　　　　　係合部材
５、６　　　　　　結合部材（面ファスナー）
７　　　　　　　　　　バッグの中心線
８、９　　　　バッグの中心線の両端
１０　　　　　　　　バッグの生地
１１　　　　　　　　バッグ
１２、１３　　結合部材（面ファスナー）
２１　　　　　　　　ハンガー掛け部材の穴
２２、２３　　カバーの側部
２４　　　　　　　　カバーの下部
２５、２５’　カバーの上部
２６　　　　　　　　　係合部材
２７、２８　　　結合部材（面ファスナー）
２９　　　　　　　　　ハンガー掛け部材
３０、３１　　　折り曲げ部
３２　　　　　　　　　カバー生地
３３　　　　　　　　　カバー
３４、３５　　　結合部材（面ファスナー）
【図１】
2004131109.tif 000003
【図２】
2004131109.tif 000004
【図３】
2004131109.tif 000005
【図４】
2004131109.tif 000006
【図５】
2004131109.tif 000007
【図６】
2004131109.tif 000008
【図７】
2004131109.tif 000009